(57)【要約】      （修正有）【課題】育毛剤を頭皮の深層組織中に浸透しやすくし、効果的に頭皮に吸収されるようにしたナノ噴霧器を提供する。【解決手段】ナノ噴霧器は、少なくとも、取っ手、上蓋、固定座、及び、下蓋からなり、取っ手下端は螺接部を有する。上蓋中央に中空柱体を有し、柱体上方内縁に、取っ手の螺接部と螺接する螺紋部を設置する。中空柱体内は容置室を有し、容置室は吸水海綿を設置して、育毛剤を吸い、中空柱体下方は発振片を設置する。上蓋内に回路基板を有し、固定座内に偏心モーターを設置し、偏心モーターは回路基板と接続し、固定座下方は金属層を有する導入機構を設置し、導入機構は複数の伝導凸柱を有する。下蓋内に複数の伝導凸柱に対応する穿孔を有する。偏心モーターにより噴霧器を発振させ、発振片は、育毛剤の水分子をナノ化した霧状にする。【選択図】図３
0003143442.tif 000002
【実用新案登録請求の範囲】
【請求項１】
ナノ噴霧器であって、少なくとも、
下端が螺接部を有する取っ手と、
中空柱体を有し、前記中空柱体内に吸水海綿を有し、且つ、下端は凸縁を有し、前記柱体上方内縁に、前記取っ手の螺接部と螺接する螺紋部を設置し、回路基板と複数の固定凸柱を有する上蓋と、
偏心モーターを設置し、前記偏心モーターと前記回路基板は接続し、下方に金属層を有する導入機構を設置する固定座と、
前記伝導凸柱に対応する複数の穿孔とマッサージ凸柱を有する下蓋と、
からなり、
前記中空柱体は容置室を有し、前記容置室は育毛剤を容置し、且つ、前記中空柱体下方は発振片を有し、前記偏心モーターは前記噴霧器を発振させ、前記発振片は育毛剤の水分をナノ化した霧状にし、前記導入機構により育毛剤を頭皮の皮下組織に浸透させ、頭皮に吸収させることを特徴とするナノ噴霧器。
【請求項２】
前記中空柱体内に検出素子を有することを特徴とする請求項１に記載のナノ噴霧器。
【請求項３】
前記発振片の上下二側にパッドを有することを特徴とする請求項１に記載のナノ噴霧器。
【考案の詳細な説明】
【技術分野】
【０００１】
本考案は、ナノ噴霧器に関するものであって、特に、育毛剤の水分子を分子が更にナノ化した霧状になるように発振させ、上下、左右方向に噴霧でき、公知の上にだけしか噴霧できない欠点を改善するナノ噴霧器に関するものである。
【背景技術】
【０００２】
頭皮のマッサージは、一般に、指の腹かマッサージ器に、育毛剤を合わせて使用し、頭皮の血液循環を促進し、頭皮の美容と健康を維持する。
【０００３】
しかし、指の腹やマッサージ器と育毛剤を使用して頭皮にマッサージする時、育毛剤を直接手に取るか、皮膚にのせてマッサージするので、大部分の育毛剤が手や髪に付着し、頭皮に吸収されず、また、育毛剤の分子は大きいので、確実に頭皮に達することができず、頭皮の表面だけに接触し、頭皮の深層の皮下組織への滋養効果が弱く、効果的とはいえない。
【考案の開示】
【考案が解決しようとする課題】
【０００４】
本考案の目的は、ナノ噴霧器を提供し、上述の問題を解決することにある。
【課題を解決するための手段】
【０００５】
本考案のナノ噴霧器は、少なくとも、取っ手、上蓋、固定座、及び、下蓋からなる。取っ手下端は螺接部を有する。上蓋中央に中空柱体を有し、柱体上方内縁に、取っ手の螺接部と螺接する螺紋部を設置する。中空柱体内は容置室を有し、容置室は吸水海綿を設置して、育毛剤を吸い、中空柱体下方は発振片を設置する。上蓋内に回路基板を有する。固定座内に偏心モーターを設置し、偏心モーターは回路基板と接続し、固定座下方は金属層を有する導入機構を設置し、導入機構は複数の伝導凸柱を有する。      
【考案の効果】
【０００６】
本考案の噴霧器は、育毛剤を入れると、発振片により育毛剤の水分子が発振してナノ化した霧状になり、上下、左右に噴霧でき、公知の上にしか噴霧できない欠点を改善する。また、導入機構が生成する負電イオンは、育毛剤を頭皮の深層組織中に浸透しやすくし、効果的に頭皮に吸収される。
【考案を実施するための最良の形態】
【０００７】
図１、図２は本考案のナノ噴霧器１を示し、少なくとも取っ手２、上蓋３、固定座４、及び、下蓋５からなる。
【０００８】
取っ手２は、握持部２１を有し、握持部２１の下方に螺接部２２を延伸している。
【０００９】
上蓋３は半円形で、開口が下向きの殻体で、上蓋３の中央は中空柱体３０を設置し、中空柱体３０上方の内縁は、取っ手２と螺接する螺紋部３１を有し、中空殻体３０内は容置室３２を有する。容置室３２内に吸水海綿３３を有し、吸水海綿３３は育毛剤を吸う。中空柱体３０の底端は凸縁３４を延設し、凸縁３４の下方は発振片３５を有する。発振片３５の上下にパッド３６を有し、パッド３６により育毛剤が漏れるのを防止する。また、中空柱体３０下方に検出素子３７を有し、検出素子３７は中空柱体３０内に穿設し、吸水海綿３３の本体内に伸入し、検出素子３７により吸水海綿３３の含水量を検出する。上蓋３表面はスイッチ３８を設置し、スイッチ３８は電源の起動を制御し、上蓋３の下方内側に複数の固定凸柱３９ａ、３９ｂを設置し、上蓋３の周縁の適当な箇所に電源線出口Ｈを有し、固定凸柱３９ａは回路基板Ｂを鎖設する。電源線出口Ｈは回路基板Ｂの電源線Ｌを穿出する。
【００１０】
固定座４は半円形で、開口が上向きの殻体で、固定座４内に偏心モーター４１を設置し、固定座４中央に通孔４２を有し、通孔４２主上は環壁４３を有し、環壁４３内に容置空間４４を有する。容置空間４４は発振片３５、及び、パッド３６を容置し、固定座４内部は、更に、複数の定位凸柱４５を有する。定位凸柱４５は螺固素子Ｓで、固定座４を上蓋３のその他の固定凸柱３９ｂ上に鎖設し、固定座４の下方は導入機構４６を設置し、導入機構４６の表面は金属層で、金属層は導入機構４６が負の電気を帯びるようにし、導入機構４６下方は、複数の伝導凸柱４６１を有する。
【００１１】
下蓋５は半円形で、開口が上向けの殻体で、下蓋５は固定座４を容置し、下蓋５の底部は伝導凸柱４６１に対応する複数の穿孔５１を有する。      
【００１２】
本考案の組み立て時、図３で示されるように、まず、偏心モーター４１を固定座４内に固定し、回路基板Ｂは螺固素子Ｓ１により上蓋３の固定凸柱３９ａ上に鎖固し、吸水海綿３３は上蓋３の中空柱体３０に設置され、検出素子３７は、中空柱体３０底部から上に中空柱体３０内に挿入され、検出素子３７は、吸水海綿３３中に伸入し、続いて、パッド３６、及び、発振片３５を中空柱体３０底端の凸縁３４に設置する。固定座４を上蓋３の下方に設置し、固定座４の環壁４３が中空柱体３０下方に設置されると共に、螺固素子Ｓにより、固定座４の外側から、定位凸柱４５を上蓋３の定位凸柱３９ｂ上で対応させて定位させる。導入機構４６は、螺固素子Ｓ２により固定座４の下方に鎖固し、最後に、下蓋５の穿孔５１が導入機構４６の伝導凸柱４６１に対応した後、固定座４下方に設置され、粘着剤により、上蓋３と下蓋５を粘着固定する。取っ手２は、上蓋３の中空柱体３０の螺紋部３１に螺設し、組み合わせが完成する。
【００１３】
図４を参照すると、本考案の実施時、育毛剤を上蓋３の中空柱体３０内に入れ、吸水海綿３３に完全に吸収させ、続いて、取っ手２の螺接部２２を中空柱体３０の螺紋部３１上に螺設し、電源線Ｌをコンセントに差し込んで、上蓋３のスイッチ３８により電源を起動し、この時、噴霧器１を頭皮上において、マッサージ凸柱５２と伝導凸柱４６１を頭皮に接触させ、偏心モーター４１が通電により作動して振動を生成し、吸水海綿３３が吸収した育毛剤が、発振片３５により超高速の振動を発生し、水分子がナノ化の霧状になり、霧状の発毛液が、負電イオンを帯びた導入機構４６により使用者の頭皮に導入される。金属層を有する伝導凸柱４６１の振動によりマッサージされ、育毛剤がしかりと頭皮の深層組織中に浸透し、効果的に頭皮に吸収される。検出素子３７は、吸水海綿３３の含水量が所定値より低いことを検出した時、警告を発し、使用者に、中空柱体３０中に育毛剤を追加するように注意を促す。
【００１４】
本考案は、噴霧器１の上蓋３が中空柱体３０を設置し、中空柱体３０内に吸水海綿３３を設置しているので、育毛剤を中空柱体３０中に入れると、発振片３５により育毛剤の水分子が発振してナノ化した霧状になり、上下、左右に噴霧でき、公知の上にしか噴霧できない欠点を改善する。導入機構４６が生成する負電イオンは、育毛剤を頭皮の深層組織中に浸透しやすくし、効果的に頭皮に吸収される。
【図面の簡単な説明】
【００１５】
【図１】本考案のナノ噴霧器の立体図である。
【図２】本考案のナノ噴霧器の立体分解図である。
【図３】本考案のナノ噴霧器の断面図である。
【図４】本考案のナノ噴霧器の使用状態図である。
【符号の説明】
【００１６】
２  取っ手
３  上蓋
４  固定座
５  下蓋
２１  握持部
２２  螺接部
３０  中空柱体
３１  螺紋部
３２  容置室
３３  吸水海綿
３４  凸縁
３５  発振片
３６  パッド
３７  検出素子
３８  スイッチ
３９ａ、３９ｂ  固定凸柱
Ｈ  電源線出口
Ｂ  回路基板  
Ｌ  電源線
４１  偏心モーター
４２  通孔
４３  環壁
４４  容置空間
４５  定位凸柱
Ｓ  螺固素子
４６  導入機構
４６１  伝導凸柱
５１  穿孔
５２  マッサージ凸柱
【図１】
0003143442.tif 000003
【図２】
0003143442.tif 000004
【図３】
0003143442.tif 000005
【図４】
0003143442.tif 000006